(57)【特許請求の範囲】
【請求項１】
振動を検出する振動検出手段と、前記振動検出手段により振動が検出されない時間を計測する時間計測手段と、振動が検出されなくなってから留守番録音モードに移行するまでの時間を設定する時間設定手段と、前記時間計測手段によって計測された時間が前記時間設定手段によって設定された時間に達したとき、前記留守番録音モードをＯＮに設定する留守録モード設定手段あるいは前記留守録モード設定手段による動作のＯＮ／ＯＦＦを選択する設定動作選択手段を有し、着信時に自装置を振動させる振動手段と、前記振動検出手段により振動が検出された場合、該検出された振動が、前記振動手段による振動であるか否かを判断する振動判断手段と、を有する無線通信端末装置であって、前記振動判断手段により、前記検出された振動が前記振動手段による振動であると判断され、かつ前記留守録モード設定手段により前記留守番録音モードがＯＮに設定されている場合、前記ＯＮ設定された留守番録音モードを継続する留守録モード継続手段を有することを特徴とする無線通信端末装置。
【請求項２】
振動を検出する振動検出手段と、前記振動検出手段により振動が検出されない時間を計測する時間計測手段と、振動が検出されなくなってから留守番録音モードに移行するまでの時間を設定する時間設定手段と、前記時間計測手段によって計測された時間が前記時間設定手段によって設定された時間に達したとき、前記留守番録音モードをＯＮに設定する留守録モード設定手段あるいは前記留守録モード設定手段による動作のＯＮ／ＯＦＦを選択する設定動作選択手段を有し、着信時に自装置を振動させる振動手段と、前記振動検出手段により振動が検出された場合、該検出された振動が、前記振動手段による振動であるか否かを判断する振動判断手段と、を有する無線通信端末装置であって、前記振動判断手段により、前記検出された振動が前記振動手段による振動ではないと判断された場合、前記留守番録音モードをＯＦＦに設定する留守録モード解除手段を有することを特徴とする無線通信端末装置。
【請求項３】
前記留守録モード解除手段による動作のＯＮ／ＯＦＦを選択する解除動作選択手段を有することを特徴とする請求項２記載の無線通信端末装置。
【請求項４】
前記留守録モード解除手段は、着信時に、該着信に対する応答が検出され、かつ前記留守録モード設定手段により前記留守番録音録モードがＯＮに設定されている場合、前記留守番録音モードをＯＦＦに設定することを特徴とする請求項２または３記載の無線通信端末装置。
【請求項５】
前記留守録モード解除手段は、自装置に設けられている所定のキーの操作が検出され、かつ前記留守録モード設定手段により前記留守番録音モードがＯＮに設定されている場合、前記留守番録音モードをＯＦＦに設定することを特徴とする請求項２から４いずれか１項に記載の無線通信端末装置。
【請求項６】
振動を検出する振動検出工程と、前記振動検出工程により振動が検出されない時間を計測する時間計測工程と、振動が検出されなくなってから留守番録音モードに移行するまでの時間を設定する時間設定工程と、前記時間計測工程によって計測された時間が前記時間設定工程によって設定された時間に達したとき、前記留守番録音モードをＯＮに設定する留守録モード設定工程あるいは前記留守録モード設定工程による動作のＯＮ／ＯＦＦを選択する設定動作選択工程を有し、着信時に前記無線通信端末装置を振動させる振動工程と、前記振動検出工程により振動が検出された場合、該検出された振動が、前記振動工程による振動であるか否かを判断する振動判断工程と、を有する留守番録音モード設定方法であって、
前記振動判断工程により、前記検出された振動が前記振動工程による振動であると判断され、かつ前記留守録モード設定工程により前記留守番録音モードがＯＮに設定されている場合、前記ＯＮ設定された留守番録音モードを継続する留守録モード継続工程を有することを特徴とする留守番録音モード設定方法。
【請求項７】
振動を検出する振動検出工程と、前記振動検出工程により振動が検出されない時間を計測する時間計測工程と、振動が検出されなくなってから留守番録音モードに移行するまでの時間を設定する時間設定工程と、前記時間計測工程によって計測された時間が前記時間設定工程によって設定された時間に達したとき、前記留守番録音モードをＯＮに設定する留守録モード設定工程あるいは前記留守録モード設定工程による動作のＯＮ／ＯＦＦを選択する設定動作選択工程を有し、着信時に自装置を振動させる振動工程と、前記振動検出工程により振動が検出された場合、該検出された振動が、前記振動工程による振動であるか否かを判断する振動判断工程と、を有する留守番録音モード設定方法であって、
前記振動判断工程により、前記検出された振動が前記振動工程による振動ではないと判断された場合、前記留守番録音モードをＯＦＦに設定する留守録モード解除工程を有することを特徴とする留守番録音モード設定方法。
【請求項８】
前記留守録モード解除工程による動作のＯＮ／ＯＦＦを選択する解除動作選択工程を有することを特徴とする請求項７記載の留守番録音モード設定方法。
【請求項９】
前記留守録モード解除工程は、着信時に、該着信に対する応答が検出され、かつ前記留守録モード設定工程により前記留守番録音録モードがＯＮに設定されている場合、前記留守番録音モードをＯＦＦに設定することを特徴とする請求項７または８記載の留守番録音モード設定方法。
【請求項１０】
前記留守録モード解除工程は、前記無線通信端末装置に設けられている所定のキーの操作が検出され、かつ前記留守録モード設定工程により前記留守番録音モードがＯＮに設定されている場合、前記留守番録音モードをＯＦＦに設定することを特徴とする請求項７から９いずれか１項に記載の留守番録音モード設定方法。
【請求項１１】
振動を検出する振動検出処理と、前記振動検出処理により振動が検出されない時間を計測する時間計測処理と、振動が検出されなくなってから留守番録音モードに移行するまでの時間を設定する時間設定処理と、前記時間計測処理によって計測された時間が前記時間設定処理によって設定された時間に達したとき、前記留守番録音モードをＯＮに設定する留守録モード設定処理あるいは前記留守録モード設定処理による動作のＯＮ／ＯＦＦを選択する設定動作選択処理を有し、着信時に前記無線通信端末装置を振動させる振動処理と、前記振動検出処理により振動が検出された場合、該検出された振動が、前記振動処理による振動であるか否かを判断する振動判断処理と、をコンピュータに実行させるためのプログラムであって、
前記振動判断処理により、前記検出された振動が前記振動処理による振動であると判断され、かつ前記留守録モード設定処理により前記留守番録音モードがＯＮに設定されている場合、前記ＯＮ設定された留守番録音モードを継続する留守録モード継続処理をコンピュータに実行させることを特徴とするプログラム。
【請求項１２】
振動を検出する振動検出処理と、前記振動検出処理により振動が検出されない時間を計測する時間計測処理と、振動が検出されなくなってから留守番録音モードに移行するまでの時間を設定する時間設定処理と、前記時間計測処理によって計測された時間が前記時間設定処理によって設定された時間に達したとき、前記留守番録音モードをＯＮに設定する留守録モード設定処理あるいは前記留守録モード設定処理による動作のＯＮ／ＯＦＦを選択する設定動作選択処理を有し、着信時に前記無線通信端末装置を振動させる振動処理と、前記振動検出処理により振動が検出された場合、該検出された振動が、前記振動処理による振動であるか否かを判断する振動判断処理と、をコンピュータに実行させるためのプログラムであって、
前記振動判断処理により、前記検出された振動が前記振動処理による振動ではないと判断された場合、前記留守番録音モードをＯＦＦに設定する留守録モード解除処理をコンピュータに実行させることを特徴とするプログラム。
【請求項１３】
前記留守録モード解除処理による動作のＯＮ／ＯＦＦを選択する解除動作選択処理をコンピュータに実行させるための請求項１２記載のプログラム。
【請求項１４】
前記留守録モード解除処理は、着信時に、該着信に対する応答が検出され、かつ前記留守録モード設定処理により前記留守番録音録モードがＯＮに設定されている場合、前記留守番録音モードをＯＦＦに設定することをコンピュータに実行させるための請求項１２または１３記載のプログラム。
【請求項１５】
前記留守録モード解除処理は、前記無線通信端末装置に設けられている所定のキーの操作が検出され、かつ前記留守録モード設定処理により前記留守番録音モードがＯＮに設定されている場合、前記留守番録音モードをＯＦＦに設定するようコンピュータに実行させるための請求項１２から１４いずれか１項に記載のプログラム。
【発明の詳細な説明】
【０００１】
【発明の属する技術分野】
無線通信端末装置、留守番録音モード設定方法、およびそのプログラムに関し、特に、検出した振動に基づいて、留守番録音モードの設定／解除を行う無線通信端末装置、留守番録音モード設定方法、およびそのプログラムに関する。
【０００２】
【従来の技術】
従来、無線通信端末装置には、留守番電話モード等様々なモードを有しているものがあった。上記のような無線通信端末装置における各種モードの設定に係る従来技術には、以下に示すものがある。
【０００３】
特開２０００−１０１５０８号公報が開示するところの移動通信用無線端末装置（以下、従来例１）では、移動通信用無線端末装置における振動量を検出し、検出した振動量に応じて、移動通信用無線端末装置における省電力動作モードを切り替えていた。
【０００４】
また、特開平１０−２８５２５６号公報が開示するところの携帯電話装置（以下、従来例２）では、着呼時に、携帯電話装置に所定回数の振動を加えることによって、留守番電話モードへの移行の有無を切り替えていた。
【０００５】
また、特開平１１−１８７０９１号公報が開示するところの携帯端末装置及び着信通知方法（以下、従来例３）では、ドップラー効果を利用して携帯端末装置の移動速度を検出し、検出した移動速度に応じて、着信通知モードを音にするか筐体の振動にするかを決定していた。
【０００６】
また、特開２００１−２５１４１９号公報が開示するところの振動センサ付き無線通信端末装置及びそのプログラムを記録した記録媒体（以下、従来例４）では、移動機に振動が与えられた場合に、移動機に設けられている表示部を点灯させていた。
【０００７】
【発明が解決しようとする課題】
一般に、無線通信端末装置には、留守番電話機能が設けられている。利用者が留守番電話機能において留守番録音モードに設定することにより、利用者が無線通信端末装置で応答できない際には、相手先のメッセージ等が記録されていた。
【０００８】
従来の無線通信端末装置では、利用者が、予め無線通信端末装置に設置された設定ボタンを押下することにより、留守番電話機能における留守番録音モードの設定を行っていた。つまり、利用者は、自身のスケジュールを記憶し、そのスケジュールに応じて留守番録音モードのＯＮ／ＯＦＦ設定を行っていた。従って、利用者が無線通信端末装置に応答不可能であることをうっかり忘れて、留守番録音モードをＯＦＦに設定すると、相手先からのメッセージが記録されず、相手先の用件が利用者に伝わらないという問題があった。
【０００９】
また、従来例２では、留守番録音モードへ移行するためには、無線通信端末装置に振動を加えなければならず、上記の問題点を解決することは不可能であった。
【００１０】
また、従来例１、従来例３、および従来例４には、無線通信端末装置における留守番録音モードへの切換に係る構成が記載されていない。
【００１１】
本発明は、上記問題点に鑑みてなされたものであり、留守番録音モードのＯＮ／ＯＦＦ設定を自動的に行う無線通信端末装置、留守番録音モード設定方法、そのプログラムを提供することを目的とする。
【００１７】
【課題を解決するための手段】
かかる目的を達成するために、請求項１記載の発明は、振動判断手段により、検出された振動が振動手段による振動であると判断され、かつ前記留守録モード設定手段により留守番録音モードがＯＮに設定されている場合、ＯＮ設定された留守番録音モードを継続する留守録モード継続手段を有することを特徴とする。
【００１８】
また、請求項２記載の発明によれば、振動判断手段により、検出された振動が振動手段による振動ではないと判断された場合、留守番録音モードをＯＦＦに設定する留守録モード解除手段を有することを特徴とする。
【００１９】
また、請求項３記載の発明によれば、請求項２記載の無線通信端末装置において留守録モード解除手段による動作のＯＮ／ＯＦＦを選択する解除動作選択手段を有することを特徴とする。
【００２０】
また、請求項４記載の発明によれば、請求項２または３記載の無線通信端末装置において留守録モード解除手段は、着信時に、該着信に対する応答が検出され、かつ留守録モード設定手段により留守番録音録モードがＯＮに設定されている場合、留守番録音モードをＯＦＦに設定することを特徴とする。
【００２１】
また、請求項５記載の発明によれば、請求項２から４いずれか１項に記載の無線通信端末装置において、留守録モード解除手段は、自装置に設けられている所定のキーの操作が検出され、かつ留守録モード設定手段により留守番録音モードがＯＮに設定されている場合、前記留守番録音モードをＯＦＦに設定することを特徴とする。
【００２７】
また、請求項６記載の発明によれば、振動判断工程により、検出された振動が振動工程による振動であると判断され、かつ留守録モード設定工程により留守番録音モードがＯＮに設定されている場合、ＯＮ設定された留守番録音モードを継続する留守録モード継続工程を有することを特徴とする。
【００２８】
また、請求項７記載の発明によれば、振動判断工程により、検出された振動が振動工程による振動ではないと判断された場合、留守番録音モードをＯＦＦに設定する留守録モード解除工程を有することを特徴とする。
【００２９】
また、請求項８記載の発明によれば、請求項７記載の留守番録音モード設定方法において、留守録モード解除工程による動作のＯＮ／ＯＦＦを選択する解除動作選択工程を有することを特徴とする。
【００３０】
また、請求項９記載の発明によれば、請求項７または８記載の留守番録音モード設定方法において、留守録モード解除工程は、着信時に、該着信に対する応答が検出され、かつ留守録モード設定工程により留守番録音録モードがＯＮに設定されている場合、留守番録音モードをＯＦＦに設定することを特徴とする。
【００３１】
また、請求項１０記載の発明によれば、請求項７から９いずれか１項に記載の留守番録音モード設定方法において、留守録モード解除工程は、無線通信端末装置に設けられている所定のキーの操作が検出され、かつ留守録モード設定工程により前記留守番録音モードがＯＮに設定されている場合、留守番録音モードをＯＦＦに設定することを特徴とする。
【００３７】
また、請求項１１記載の発明によれば、振動判断処理により、検出された振動が振動処理による振動であると判断され、かつ留守録モード設定処理により留守番録音モードがＯＮに設定されている場合、ＯＮ設定された留守番録音モードを継続する留守録モード継続処理をコンピュータに実行させるプログラムであることを特徴とする。
【００３８】
また、請求項１２記載の発明によれば、振動判断処理により、検出された振動が振動処理による振動ではないと判断された場合、留守番録音モードをＯＦＦに設定する留守録モード解除処理をコンピュータに実行させるプログラムであることを特徴とする。
【００３９】
また、請求項１３記載の発明によれば、請求項１２記載のプログラムにおいて、留守録モード解除処理による動作のＯＮ／ＯＦＦを選択する解除動作選択処理をコンピュータに実行させることを特徴とする。
【００４０】
また、請求項１４記載の発明によれば、請求項１２または１３記載のプログラムにおいて、留守録モード解除処理は、着信時に、該着信に対する応答が検出され、かつ留守録モード設定処理により留守番録音録モードがＯＮに設定されている場合、留守番録音モードをＯＦＦに設定することをコンピュータに実行させることを特徴とする。
【００４１】
また、請求項１５記載の発明によれば、請求項１２から１４いずれか１項に記載のプログラムにおいて、留守録モード解除処理は、無線通信端末装置に設けられている所定のキーの操作が検出され、かつ留守録モード設定処理により留守番録音モードがＯＮに設定されている場合、留守番録音モードをＯＦＦに設定するようコンピュータに実行させることを特徴とする。
【００４２】
【発明の実施の形態】
図１は、本発明の一実施形態における無線通信端末装置の構成を示す図である。以下、図１を用いて、本実施形態における無線通信端末装置の構成および動作について説明する。
【００４３】
無線通信端末装置は、携帯電話器であってもよいし、ＰＨＳ、ＰＤＡ、あるいは以下に説明する構成を有しているものであれば、他の機器であってもよい。また、無線通信端末装置は、ＣＰＵ１と、制御回路２と、振動センサ３と、Ｉ／Ｏ部４と、フロントエンド５と、メモリ６と、アナログ回路７と、マイク８と、スピーカ９と、アンテナ１０と、バイブレータ（図示せず）と、を有する。バイブレータは、無線通信端末装置におけるマナーモードがＯＮに設定されている場合に着信すると、振動動作を行う。通常、着信を利用者に通知する場合、スピーカ９から音声が出力される。マナーモードは、音声の出力が規制されている場合に、無線通信端末装置の筐体の振動により、利用者に対して着信を通知するモードである。
【００４４】
ＣＰＵ１は、制御回路２、フロントエンド５、およびメモリ６と接続されている。また、ＣＰＵ１は、無線通信端末装置における各部位（接続されている制御回路２、フロントエンド５、およびメモリ６を含む）の制御を行う。
【００４５】
ＣＰＵ１は、マナーモードのＯＮ／ＯＦＦ設定を行う。マナーモードがＯＮに設定されている場合、ＣＰＵ１は、着呼時に、バイブレータを動作させ、無線通信端末装置の筐体を振動させる。また、ＣＰＵ１は、マナーモードがＯＦＦ設定されている場合には、スピーカ９に着呼を示す音声を送出させる（バイブレータを動作させない）。
【００４６】
また、ＣＰＵ１は、留守番録音モード（利用者が応答しない場合に相手先のメッセージを所定の音声蓄積装置に転送し、記録させるモード）のＯＮ／ＯＦＦ設定を行う。
【００４７】
制御回路２は、ＣＰＵ１、振動センサ３、Ｉ／Ｏ部４、およびアナログ回路７と接続されている。また、制御回路２は、無線通信端末装置における各部位（ＣＰＵ１、振動センサ３、Ｉ／Ｏ部４、およびアナログ回路７を含む）から受け取った所定の信号に基づいて、各部位を制御する。
【００４８】
振動センサ３は、制御回路２と接続されている。また、振動センサ３は、無線通信端末装置に加えられた振動を検出する。振動センサ３は、振動を検出すると、振動を検出した旨の信号（以下、振動検出信号）を制御回路２へ供給する。制御回路２は、振動センサ３から受け取った振動検出信号に基づいて、無線通信端末装置が振動しているか否か（利用者が無線通信端末装置を操作しようとしているか否か）を判断する。
【００４９】
Ｉ／Ｏ部４は、データの入出力を行う。Ｉ／Ｏ部４は、例えば、テンキー等の操作キーであってもよいし、データを表示するＬＣＤ等の表示器であってもよい。また、その組み合わせであってもよい。
【００５０】
アンテナ１０は、電波の送受信を行う。フロントエンド５は、ＣＰＵ１およびアンテナ１０と接続されており、ＣＰＵ１およびアンテナ１０からの信号の変復調等を行う。
【００５１】
メモリ６は、ＣＰＵ１と接続されている。また、メモリ６には、無線通信端末装置に各処理を行わせるためのプログラムが格納されている。ＣＰＵ１は、メモリ６に格納されているプログラムを読み出し、読み出したプログラムに基づいて各部位の制御を行う。また、メモリ６には、メモ帳あるいは電話帳等のデータが格納されており、読み出し可能となっている。
【００５２】
マイク８は、音声の入力を行う。スピーカ９は、音声の出力を行う。アナログ回路７は、制御回路２、マイク８、およびスピーカ９と接続されており、マイク８から入力された音声信号およびスピーカ９へ出力する音声信号等に係る各処理（Ａ／Ｄ変換等）を行う。
【００５３】
図２は、本発明の一実施形態における無線通信端末装置の構成を示す図である。図２は、図１に示されている無線通信端末装置の構成の一部を切り出し、さらに制御回路２を詳細に示したものである。以下、図２を用いて、本実施形態における無線通信端末装置の構成および動作について説明する。
【００５４】
図２に示されているように、制御回路２は、振動センサ制御回路２１と、タイマ２２と、を有する。タイマ２２は、時間をカウントし、カウントした時間の値（以下、カウント値）を振動センサ制御回路２１に出力する。
【００５５】
振動センサ制御回路２１は、タイマ２２、ＣＰＵ１、および振動センサ３と接続されている。振動センサ制御回路２１は、振動センサ３から出力される振動検出信号を受信する。また、振動センサ制御回路２１は、タイマ２２のカウント動作を許可するイネーブル信号をタイマ２２へ出力することにより、タイマ２２を制御する。イネーブル信号とは、タイマ２２の動作に対する許可信号である。イネーブル信号がアクティブである場合、振動センサ制御回路２１は、タイマ２２に時間のカウントを実行させる。また、イネーブル信号がインアクティブである場合、振動センサ制御回路２１は、タイマ２２に、時間のカウントを停止させ、カウント値を０クリアさせる。
【００５６】
タイマ２２は、振動センサ制御回路２１へカウント値を出力する。振動センサ制御回路２１は、タイマ２２からカウント値を受け取り、時間を計測する。
【００５７】
また、振動センサ制御回路２１には、利用者により予め設定された時間の値（以下、設定時間値）が記録されている（例えば、「５分」等）。振動センサ制御回路２１は、設定時間値と計測した時間の値とを比較し、その比較結果に基づいて、割り込み信号をＣＰＵ１に出力する。なお、設定時間値は、Ｉ／Ｏ部４等による入力により、自由に設定／変更することが可能である。
【００５８】
ＣＰＵ１と振動センサ制御回路２１とは、アドレスバス、およびデータバス等により接続され、リード／ライト等の各種制御信号（図２では、制御信号と表記）の送受信を相互に行う。ＣＰＵ１は、上記の制御信号により振動センサ制御回路２１を制御する。
【００５９】
なお、図２では、制御回路２は、ＣＰＵ１および振動センサ３と接続されているが、図１に示されているように、ＣＰＵ１あるいは振動センサ３と同様に他の部位（Ｉ／Ｏ部４およびアナログ回路７を含む）とも接続されているとしてよい。また、制御回路２は、接続されている部位と所定の信号の入出力を行うための部位を他に有しているとしてよい。
【００６０】
図３は、本発明の一実施形態における無線通信端末装置による留守番録音モード設定の動作の流れを示すフローチャートである。以下、図２を用い、図３に沿って、本実施形態における無線通信端末装置による留守番録音モード設定の動作について説明する。
【００６１】
まず、利用者が、Ｉ／Ｏ部４等を用いて、留守番録音モードをＯＮ設定するための設定時間値を入力すると、振動センサ制御回路２１は、入力された設定時間値を記録する（ステップＳ１０１）。具体的には、ＣＰＵ１は、制御信号を送信することにより、振動センサ制御回路２１内部に設けられているレジスタ（図示せず）に値を書き込む。
【００６２】
振動センサ３から振動センサ制御回路２１へ入力される振動検出信号がインアクティブである場合（振動センサ３が無線通信端末装置に加えられた振動を検出していない場合）、振動センサ制御回路２１は、タイマ２２にカウントイネーブル信号を出力する。タイマ２２は、振動センサ制御回路２１からカウントイネーブル信号を受け取っている間（カウントイネーブル信号がアクティブであると判断している間）、カウント動作を継続する（ステップＳ１０２）。
【００６３】
振動センサ制御回路２１は、タイマ２２のカウント値を常に監視する。振動センサ制御回路２１は、カウント値が設定時間値に到達したか否かを判断する（ステップＳ１０３）。
【００６４】
カウント値が、設定時間値に到達していないと判断された場合（ステップＳ１０３／Ｎｏ）、タイマ２２は、引き続きカウント動作を行う（ステップＳ１０２）。
【００６５】
カウント値が、設定時間値に到達していると判断された場合（ステップＳ１０３／Ｙｅｓ）、振動センサ制御回路２１は、ＣＰＵ１に対して割り込み信号を出力する。ＣＰＵ１は、割り込み信号を受け取ると、カウント値が設定時間値に到達していることを認識する（ステップＳ１０４）。
【００６６】
また、ＣＰＵ１は、制御信号を用いて、振動センサ制御回路２１内に設けられたステータスレジスタ（図示せず）に対して、定期的にポーリングを行い、カウント値が設定時間値に到達していることを認識してもよい。
【００６７】
ＣＰＵ１は、カウント値が設定時間値に到達していることを認識すると、無線通信端末装置における留守番録音モードをＯＮ設定する（ステップＳ１０５）。以上で、本実施形態における無線通信端末装置による留守番録音モード設定動作を終了する。
【００６８】
図４は、本発明の一実施形態における無線通信端末装置による振動検出時動作の流れを示すフローチャートである。以下、図２を用い、図４に沿って、本実施形態における無線通信端末装置による振動検出時の動作について説明する。
【００６９】
振動センサ制御回路２１が振動すると、振動センサ３から出力される振動検出信号がアクティブとなり、無線通信端末装置は、図４に示される振動検出時動作を行う。
【００７０】
まず、振動センサ制御回路２１は、割り込み信号により、無線通信端末装置に振動があったことを、ＣＰＵ１に対して知らせる（あるいは、ＣＰＵ１が振動センサ制御回路２１にポーリングを行うことにより振動を認識してもよい）。
【００７１】
ＣＰＵ１は、無線通信端末装置における振動を認識すると、マナーモードＯＮ時における着信によりバイブレータが動作しているか否かを判断する（ステップＳ２０１）。
【００７２】
バイブレータが動作していると判断された場合（ステップＳ２０１／Ｙｅｓ）、ＣＰＵ１は、着信に利用者が応答したか否かを判断する（ステップＳ２０２）。利用者が応答しなかったと判断された場合（ステップＳ２０２／Ｎｏ）、無線通信端末装置は、現在設定されているモードをそのまま保持する。
【００７３】
マナーモードＯＮ時における着信によりバイブレータが動作し、上記の着信に利用者が応答した場合（ステップＳ２０２／Ｙｅｓ）、あるいは振動がバイブレータによるものではなかった場合（ステップＳ２０１／Ｎｏ）、ＣＰＵ１は、留守番録音モードがＯＮに設定されていならば、留守番録音モードを解除し、ＯＦＦ設定する（ステップＳ２０３）。
【００７４】
さらに、振動センサ制御回路２１から出力されるイネーブル信号は、インアクティブになり、タイマ２２は、カウント動作を停止し、カウント値を０クリアする。その後、無線通信端末装置の振動が停止すると、イネーブル信号は、アクティブになり、再びタイマ２２は、カウント動作を開始する（ステップＳ２０４）。以上で無線通信端末装置による振動検出時の動作を終了する。
【００７５】
なお、以上説明した留守番録音モードの自動設定および解除機能は、利用者が自由にＯＮ／ＯＦＦを設定することが可能である。
【００７６】
また、以上説明した実施形態では、バイブレータ以外による振動を検出した場合、およびユーザが着信に応答したことを認識した場合に、留守番録音モードが解除されていたが、ＣＰＵ１が、無線通信端末装置に設けられている所定のキー（例えば、Ｉ／Ｏ部４における操作キー）による操作を認識した場合に、留守番録音モードを解除するようにしてもよい。
【００７７】
以上説明した本実施形態によれば、タイマ２２は、振動センサ３からの振動検出信号のインアクティブ時間（振動が検出されない時間）を計測する。上記のインアクティブ時間が予め設定されている所定の値（設定時間値）に到達した場合、自動的に留守番録音モードへの設定が行われる。また、振動が検出された時、ＣＰＵ１は、検出された振動が利用者によるものなのか、マナーモード等におけるバイブレータ動作によるものなのか、を識別する。ＣＰＵ１は、上記の識別に基づいて、留守番録音モードの設定／解除を制御する。従って、本実施形態によれば、利用者が留守番録音モードの設定を行わずに、無線通信端末装置を手元から離した場合においても、自動的に留守番録音モードの設定が行われ、相手先の用件を録音することが可能となる。また、バイブレータによる着信を示す振動を検出した場合には、留守番録音モードのＯＮ設定を維持し、相手先の用件を録音することが可能となる。
【００７８】
以上説明した実施形態では、留守番録音モードの設定／解除の動作および判定は、ＣＰＵ１が介在したソフトウェア（プログラム）制御であった。バイブレータ制御信号、応答信号（利用者が着信に対して応答したことを示す信号）、および振動センサ制御回路２１が出力する信号が入力される他の制御回路を新たに設け、新たに設けた制御回路によりハードウェア制御で、留守番録音モードの設定／解除の動作および判定を実現することも可能である。
【００７９】
また、無線通信端末装置は、振動を検出する処理と、振動が検出されない時間を計測する処理と、振動が検出されない時間が所定時間以上、計測された場合、留守番録音モードをＯＮに設定する処理と、上記の所定時間を設定する処理と、上記の留守番録音モードをＯＮに設定する処理におけるＯＮ／ＯＦＦを選択する処理と、着信時に無線通信端末装置を振動させる処理（振動処理）と、検出された振動が振動処理による振動であるか否かを判断する処理と、検出された振動が振動処理による振動であると判断され、かつ留守録設定処理により留守番録音モードがＯＮに設定されている場合、ＯＮ設定された留守番録音モードを継続する処理と、検出された振動が振動処理による振動ではないと判断された場合、留守番録音モードをＯＦＦに設定する処理と、上記の留守番録音モードを解除する処理におけるＯＮ／ＯＦＦを選択する処理と、着信に対する応答が検出され、かつ留守番録音モードがＯＮに設定されている場合、留守番録音モードをＯＦＦに設定する処理と、所定のキーの操作が検出され、かつ留守番録音モードがＯＮに設定されている場合、留守番録音モードをＯＦＦに設定する処理と、を行う。上記の処理は、無線通信端末装置が有するコンピュータプログラムにより実行されるが、上記のプログラムは、光ディスク、磁気ディスク、あるいはメモリカード等の記録媒体に記録され、上記の記録媒体からロードされるようにしてもよいし、所定のネットワークを介して接続されている外部機器からロードされるようにしてもよい。
【００８０】
なお、上記の実施形態は本発明の好適な実施の一例であり、本発明の実施形態は、これに限定されるものではなく、本発明の要旨を逸脱しない範囲において種々変形して実施することが可能となる。
【００８１】
【発明の効果】
以上説明したように、本発明によれば、無線通信端末装置における振動を検知して、利用者が無線通信端末装置を携帯しているか否かを判断し、その判断に基づいて、留守番録音モードを設定する。従って、利用者が、留守番録音モードの設定を忘れて、無線通信端末装置を手元から離してしまっても、大切な連絡を受け取り損ねることなく、相手先からの用件を録音することが可能となる。
【００８２】
また、本発明によれば、検知した振動がバイブレータによる振動であり、現在、留守番録音モードがＯＮ設定されている場合、留守番録音モードを継続させる。従って、利用者が携帯することにより生じる振動を検知した場合のみ、適切に留守番録音モードを設定することが可能となる。
【００８３】
また、本発明によれば、着信時に利用者による応答を検出した場合、留守番録音モードを解除する。従って、適切に留守番録音モードを設定／解除することが可能となる。
【図面の簡単な説明】
【図１】本発明の一実施形態における無線通信端末装置の構成を示す図である。
【図２】本発明の一実施形態における無線通信端末装置の構成を詳細に示した図である。
【図３】本発明の一実施形態における無線通信端末装置による留守番録音モード設定動作の流れを示すフローチャートである。
【図４】本発明の一実施形態における無線通信端末装置による振動検出時の動作の流れを示すフローチャートである。
【符号の説明】
１  ＣＰＵ
２  制御回路
３  振動センサ
４  Ｉ／Ｏ部
５  フロントエンド
６  メモリ
７  アナログ回路
８  マイク
９  スピーカ
１０  アンテナ
２１  振動センサ制御回路
２２  タイマ
【図１】
0003975713.tif 000002
【図２】
0003975713.tif 000003
【図３】
0003975713.tif 000004
【図４】
0003975713.tif 000005